(57)【特許請求の範囲】
【請求項１】
装置空間を有し、その一側に円弧状溝が設けられる外ケースと、
前記装置空間に収容され、収容空間を有する内ケースと、
前記内ケースに対して傾斜するように設けられ、回転可能な駆動シャフトを有し、前記駆動シャフトは前記収容空間に対向する駆動歯部を有する駆動モータと、
前記内ケースの前記収容空間に設けられる、第１ギヤと、第２ギヤと、第３ギヤと、を含み、前記第１ギヤは前記駆動モータの前記駆動シャフトの前記駆動歯部と噛合い、前記第２ギヤは前記第１ギヤと連接して前記第１ギヤと共に回転し、前記第３ギヤが前記第２ギヤと噛合い、第３ギヤシャフトが前記第３ギヤを挿通するギヤ組と、
前記第３ギヤシャフトの一端に嵌め設けられる一方向軸受と、
前記一方向軸受の外周面に嵌め設けられ、前記第３ギヤシャフトに駆動され可能である駆動ギヤと、
一端が前記内ケースに延びて前記第３ギヤシャフトの他端に嵌められ、他端が前記外ケースから外部に延びて按摩部に形成され、両端の間がガイド部であり、前記ガイド部が前記外ケースの前記円弧状溝に収容される按摩具と、
ねじ軸と、連動装置と、を含み、前記連動装置は、前記ねじ軸に回動可能に嵌め設けられ、前記駆動ギヤと噛合い、前記ねじ軸は、前記収容空間に収容され、両端が前記収容空間から外部に延び出し、前記外ケースに固定され、その周面に螺旋段が設けられ、前記連動装置は前記螺旋段に収容される駆動部を有するリニア変位ユニットと、を含むことを特徴とする按摩装置。
【請求項２】
前記外ケースは、外上ケースと、外下ケースと、を含み、
前記外上ケースと前記外下ケースを合せて前記装置空間が構成されることを特徴とする、請求項１に記載の按摩装置。
【請求項３】
前記内ケースは、内上ケースと、内下ケースと、を含み、
前記内上ケースと前記内下ケースを合せて前記収容空間が構成されることを特徴とする、請求項１に記載の按摩装置。
【請求項４】
前記内ケースは、内上ケースと、内下ケースと、を含み、
前記内上ケースと前記内下ケースを合せて前記収容空間が構成され、前記内ケースの前記内下ケースは、前記収容空間と連通し、斜め置き部が斜めに成形され、前記駆動モータが前記斜め置き部に固定されることを特徴とする、請求項１に記載の按摩装置。
【請求項５】
前記ギヤ組は、更に、前記第３ギヤと噛合う第４ギヤを含み、
前記第４ギヤに第４ギヤシャフトが挿通されており、前記第４ギヤシャフトに前記按摩具が連接されることを特徴とする、請求項１に記載の按摩装置。
【請求項６】
締結具は、前記駆動ギヤと前記第３ギヤシャフトの間を挿通して、前記駆動ギヤと前記第３ギヤシャフトを締結することを特徴とする、請求項１に記載の按摩装置。
【請求項７】
前記駆動ギヤは駆動ヘリカル歯部を有し、前記連動装置は、連動ギヤと、駆動具と、規制具と、ブッシュと、を含み、
前記連動ギヤは、貫通孔を有し、その一端にヘリカル歯部が形成され、前記連動ギヤの周面には、軸心が前記貫通孔の軸心と直交する穿孔が設けられ、前記貫通孔により前記連動ギヤが前記ねじ軸に嵌め設けられ、前記連動ギヤの前記ヘリカル歯部が前記駆動ギヤの前記駆動ヘリカル歯部と噛合い、前記駆動部が前記駆動具に成形され、
前記駆動具は前記連動ギヤの前記穿孔に収容され、
前記規制具は、前記穿孔に収容されて前記駆動具に押付け、
前記ブッシュは、前記連動ギヤに嵌め設けられ、前記穿孔を覆い、前記駆動具と前記規制具との脱出を止めることを特徴とする、請求項１に記載の按摩装置。
【請求項８】
前記按摩具の前記ガイド部は円形を呈することを特徴とする、請求項１に記載の按摩装置。
【発明の詳細な説明】
【技術分野】
【０００１】
本発明は、按摩装置に関し、特に、ユーザを物理的に施療する按摩装置に関するものである。
【背景技術】
【０００２】
国民の日常生活に圧力が存在するため、道具によりストレスを解消することが必要である。ストレスを解消する道具の一つである按摩装置には、按摩椅子又は按摩ベルトなどがある。一般的な按摩装置１０は、図１に示すように、ベースプレート１１を含み、ベースプレート１１に駆動モータ１２が設けられ、駆動モータ１２の回転軸１２１の両側には、ギヤ１３がそれぞれ噛合っている。各ギヤ１３は、ベースプレート１１に平行するように設けられ、それに按摩ヘッドが結合される。ギヤ１３が回転しているときには、前記按摩ヘッドが駆動されて回転してユーザを按摩する。
【０００３】
そのうちの一つのギヤ１３はヘリカルギヤ１４と噛合い、ヘリカルギヤ１４が回転軸１５に嵌め設けられる。ギヤ１３を回転すると、ヘリカルギヤ１４が連動されて回転軸１５を直線に変位できる。これにより、按摩装置１０の前記按摩ヘッドは回転しながら直線に変位する。このような按摩装置１０によれば、按摩効果を達成できるが、二つのギヤ１３の回転方向はヘリカルギヤ１４の回転方向に垂直するため、按摩装置１０全体の体積が大きすぎるという問題があった。
【０００４】
また、一般的な按摩装置は、按摩の態様が極めて簡単であり、単一の装置によって複数の按摩の態様を行うことができない。
【発明の概要】
【発明が解決しようとする課題】
【０００５】
本発明の主な目的は、単一の装置で回転、変位及び揉みの按摩の態様を行うことができ、全体の体積を縮小できる按摩装置を提供することにある。
【課題を解決するための手段】
【０００６】
本発明の按摩装置によると、装置空間を有し、その一側に円弧状溝が設けられる外ケースと、装置空間に収容され、収容空間を有する内ケースと、内ケースに対して傾斜するように設けられ、回転可能な駆動シャフトを有し、駆動シャフトは、収容空間に対向する駆動歯部を有する駆動モータと、内ケースの収容空間に設けられる、第１ギヤと、第２ギヤと、第３ギヤと、を含み、第１ギヤは駆動モータの駆動シャフトの駆動歯部と噛合い、第２ギヤは第１ギヤと連接して第１ギヤと共に回転し、第３ギヤが第２ギヤと噛合い、第３ギヤシャフトが第３ギヤを挿通するギヤ組と、第３ギヤシャフトの一端に嵌め設けられる一方向軸受と、一方向軸受の外周面に嵌め設けられ、第３ギヤシャフトに駆動され可能である駆動ギヤと、一端が内ケースに延びて第３ギヤシャフトの他端に嵌められ、他端が外ケースから外部に延びて按摩部に形成され、両端の間がガイド部であり、ガイド部が外ケースの円弧状溝に収容される按摩具と、ねじ軸と、連動装置と、を含み、連動装置は、ねじ軸に回動可能に嵌め設けられ、駆動ギヤと噛合い、ねじ軸は、収容空間に収容され、両端が収容空間から外部に延び出し、外ケースに固定され、その周面に螺旋段が設けられ、連動装置は螺旋段に収容される駆動部を有するリニア変位ユニットと、を含むことを特徴とする。
【０００７】
本発明の按摩装置によると、外ケースは、外上ケースと、外下ケースと、を含み、外上ケースと外下ケースを合せて装置空間が構成されることを特徴とする。
【０００８】
本発明の按摩装置によると、内ケースは、内上ケースと、内下ケースと、を含み、内上ケースと内下ケースを合せて収容空間が構成されることを特徴とする。
【０００９】
本発明の按摩装置によると、内ケースは、内上ケースと、内下ケースと、を含み、内上ケースと内下ケースを合せて収容空間が構成され、内ケースの内下ケースは、収容空間と連通し、斜め置き部が斜めに成形され、駆動モータが斜め置き部に固定されることを特徴とする。
【００１０】
本発明の按摩装置によると、ギヤ組は、更に、第３ギヤと噛合う第４ギヤを含み、第４ギヤに第４ギヤシャフトが挿通されており、第４ギヤシャフトに按摩具が連接されることを特徴とする。
【００１１】
本発明の按摩装置によると、締結具は、駆動ギヤと第３ギヤシャフトの間を挿通して、駆動ギヤと第３ギヤシャフトを締結することを特徴とする。
【００１２】
本発明の按摩装置によると、駆動ギヤは駆動ヘリカル歯部を有し、連動装置は、連動ギヤと、駆動具と、規制具と、ブッシュと、を含み、連動ギヤは、貫通孔を有し、その一端にヘリカル歯部が形成され、連動ギヤの周面には、軸心が貫通孔の軸心と直交する穿孔が設けられ、貫通孔により連動ギヤがねじ軸に嵌め設けられ、連動ギヤのヘリカル歯部が駆動ギヤの駆動ヘリカル歯部と噛合い、駆動部が駆動具に成形され、駆動具は連動ギヤの穿孔に収容され、規制具は、穿孔に収容されて駆動具に押付け、ブッシュは、連動ギヤに嵌め設けられ、穿孔を覆い、駆動具と規制具との脱出を止めることを特徴とする。
【００１３】
本発明の按摩装置によると、按摩具のガイド部は円形を呈することを特徴とする。
【発明の効果】
【００１４】
本発明の按摩装置によれば、次のような効果がある。
（１）単一の装置で回転、変位及び揉みの按摩の態様を行うことができ、更に、一定の位置に固定してユーザを按摩でき、按摩の態様が極めて多い。
【００１５】
（２）ギヤ組の各ギヤが内ケース内に立設され、駆動モータが傾斜するように設けられるため、ギヤ組の内ケースの体積及び幅を減少できる。
【図面の簡単な説明】
【００１６】
【図１】従来の按摩装置を示す斜視図である。
【図２】本発明の一実施例の構造を示す分解斜視図である。
【図３】本発明の一実施例の一部の構造の組合済み状態を示す斜視図である。
【図４】本発明の一実施例の組合済み状態を示す斜視図である。
【図５Ａ】本発明の一実施例の断面図である。
【図５Ｂ】図５Ａの一部を示す拡大図である。
【図６】本発明の按摩具の使用状態を示す模式図である。
【図７】本発明の一実施例の別の視点から見た断面図である。
【発明を実施するための形態】
【００１７】
以下、本発明の実施の形態を図面に基づいて説明する。
まず、図２乃至図７を参照する。本発明の一実施例の按摩装置は、外ケース２０と、内ケース３０と、駆動モータ４０と、ギヤ組５０と、一方向軸受６０と、駆動ギヤ７０と、複数の按摩具８０と、リニア変位ユニット９０と、を含む。
【００１８】
外ケース２０は、外上ケース２２と、外下ケース２１と、を含む。外上ケース２２と外下ケース２１を合せて装置空間２３が構成される。外下ケース２１の一側に円弧状溝２１１が設けられ、外上ケース２２の一側に円弧状溝２２１が設けられる。円弧状溝２１１、２２１の両端から装置空間２３までの距離は最も長い。
【００１９】
内ケース３０は、内上ケース３２と、内下ケース３１と、を含む。内上ケース３２と内下ケース３１を合せて収容空間３３が構成される。内下ケース３１は、収容空間３３と連通し、斜め置き部３１１が斜めに成形される。外ケース２０の装置空間２３に内ケース３０が収容される。
【００２０】
駆動モータ４０は、回転可能な駆動シャフト４１を有し、駆動シャフト４１が駆動歯部４１１を有する。駆動モータ４０は内ケース３０の斜め置き部３１１に固定される。これにより、駆動モータ４０は内ケース３０において傾斜しており、駆動シャフト４１の駆動歯部４１１が内ケース３０の収容空間３３に対応する。
【００２１】
ギヤ組５０は、内ケース３０の収容空間３３内に立設され、第１ギヤ５１と、第２ギヤ５２と、第３ギヤ５３と、第４ギヤ５４と、を含む。第１ギヤ５１は駆動モータ４０の駆動シャフト４１の駆動歯部４１１と噛合う。第２ギヤ５２は、連接軸５１１によって第１ギヤ５１と連接して、第１ギヤ５１と共に回転する。第３ギヤ５３は第２ギヤ５２と噛合う。第４ギヤ５４は第３ギヤ５３と噛合う。第３ギヤシャフト５３１は第３ギヤ５３を挿通する。第４ギヤシャフト５４１は第４ギヤ５４を挿通する。
【００２２】
一方向軸受６０は第３ギヤシャフト５３１の一端に嵌め設けられる。
【００２３】
駆動ギヤ７０は駆動ヘリカル歯部７１を有する。駆動ギヤ７０は一方向軸受６０に嵌め設けられる。一方向軸受６０は駆動ギヤ７０と第３ギヤシャフト５３１の間に位置する。締結具７２により駆動ギヤ７０と第３ギヤシャフト５３１が締結される。これにより、第３ギヤ５３と駆動ギヤ７０とは一方向軸受６０に対して一方向に回転できる。
【００２４】
按摩具８０は、連接穴８１を有し、一端が連接端８２に成形され、他端が按摩部８３に成形される。連接端８２と按摩部８３の間はガイド部８４である。本実施例では、ガイド部８４が円形を呈する。各按摩具８０は、一端の連接端８２が内ケース３０に延び、連接穴８１により第３ギヤシャフト５３１の他端と第４ギヤシャフト５４１とに嵌め設けられる。そうすると、各按摩具８０はそれぞれ第３ギヤシャフト５３１及び第４ギヤシャフト５４１と連動する。各按摩具８０のガイド部８４は外ケース２０の円弧状溝２１１に収容される。各按摩具８０の他端にある按摩部８３は、外ケース２０から外部に延びる。
【００２５】
リニア変位ユニット９０は、ねじ軸９１と、連動装置と、を含む。前記連動装置はねじ軸９１に回動可能に嵌め設けられる。
【００２６】
ねじ軸９１の周面に螺旋段９１１が設けられる。本実施例では、螺旋段９１１が双方向螺旋の態様である。ねじ軸９１は、収容空間３３に収容され、両端が内ケース３０から外部に延び出し、外ケース２０の装置空間２３に固定される。ねじ軸９１は、軸方向に沿って延び、前記軸方向に垂直する方向が半径方向と定義される。ギヤ組５０の連接軸５１１、第３ギヤシャフト５３１及び第４ギヤシャフト５４１は前記軸方向に沿って延びる。
【００２７】
前記連動装置は、連動ギヤ９２と、駆動具９３と、規制具９４と、ブッシュ９５と、を含む。連動ギヤ９２は、貫通孔９２１を有し、その一端にヘリカル歯部９２２が形成される。連動ギヤ９２の周面には、軸心が貫通孔９２１の軸心と直交する穿孔９２３が設けられる。貫通孔９２１により連動ギヤ９２がねじ軸９１に嵌め設けられる。連動ギヤ９２のヘリカル歯部９２２は駆動ギヤ７０の駆動ヘリカル歯部７１と噛合う。駆動具９３は、駆動部９３１を有し、連動ギヤ９２の穿孔９２３に収容される。これにより、駆動具９３の駆動部９３１はねじ軸９１の螺旋段９１１に収容される。規制具９４は、穿孔９２３に収容されて駆動具９３に押付ける。ブッシュ９５は、連動ギヤ９２に嵌め設けられ、穿孔９２３を覆い、駆動具９３と規制具９４との脱出を止める。
【００２８】
次に、本発明の一実施例の使用状態を説明する。まず、駆動モータ５１を回転して、駆動シャフト４１が駆動されて、駆動シャフト４１と噛合う第１ギヤ５１が回転する。第２ギヤ５２が第１ギヤ５１と共に回転するため、第２ギヤ５２が駆動されて、第２ギヤ５２と噛合う第３ギヤ５３が回転する。第４ギヤ５４が第３ギヤ５３と噛合うため、第４ギヤ５４も駆動されて回転する。このとき、第３ギヤ５３と第４ギヤ５４とに嵌め設けられる按摩具８０が回転する。ユーザに各按摩具８０を押付けると、各按摩具８０の回転によりユーザを按摩することができる。
【００２９】
第３ギヤ５３が第３ギヤシャフト５３１を駆動しているときには、第３ギヤシャフト５３１と駆動ギヤ７０が締結具７２で締結されるため、第３ギヤシャフト５３１が駆動ギヤ７０を駆動して回転する。駆動ギヤ７０と第３ギヤシャフト５３１の間に一方向軸受６０が設けられるため、駆動ギヤ７０と第３ギヤシャフト５３１とは一方向だけに回転可能である。駆動ギヤ７０が回転しているときには、駆動ギヤ７０と噛合う連動ギヤ９２が回転して、連動ギヤ９２内に設けられる駆動具９３が連動ギヤ９２と共に回転する。駆動具９３の駆動部９３１がねじ軸９１の螺旋段９１１に沿って移動し、且つ連動ギヤ９２が内ケース３０に収容されるため、内ケース３０が駆動具９３の変位による力に押えられて移動する。すなわち、内ケース３０がねじ軸９１に対して直線に移動する。このとき、第３ギヤシャフト５３１と第４ギヤシャフト５４１とに嵌め設けられる按摩具８０は、内ケース３０と共に移動する。これにより、各按摩具８０は回転及びリニア変位による按摩効果をユーザに与えることができる。
【００３０】
内ケース３０がねじ軸９１に沿って直線に移動しているときには、各按摩具８０のガイド部８４が外ケース２０の円弧状溝２１１、２２１を移動する。図５Ａに示す各按摩具８０は、外ケース２０の装置空間２３に最も近接する箇所に位置する。内ケース３０が持続に移動して円弧状溝２１１、２２１の両端に移動したときに、円弧状溝２１１、２２１の両端は各按摩具８０と装置空間２３の距離が最も大きい箇所である。各按摩具８０のガイド部８４が円弧状溝２１１、２２１内に保持されるため、各按摩具８０のガイド部８４により各按摩具８０が装置空間２３から遠く離れる。図６に示すように、内ケース３０を持続に移動すると、各按摩具８０は装置空間２３から離れて装置空間２３に近づけることを繰り返す。これにより、各按摩具８０は揉み及び押圧による按摩効果をユーザに与えることができる。
【００３１】
本実施例では、ねじ軸９１が双方向螺旋の態様であるため、駆動モータ４０を持続に回転すると、内ケース３０が前記連動装置の駆動具９３に駆動されてねじ軸９１を双方向に移動でき、これは駆動モータ４０の一方向への回転だけで達成できる。駆動モータ４０を逆方向に回転すると、第３ギヤ５３の第３ギヤシャフト５３１が一方向軸受６０に挿入されて固定するため、第３ギヤ５３が駆動ギヤ７０を逆方向に駆動したいときに、駆動ギヤ７０が逆方向に回転できない。このとき、内ケース３０のねじ軸９１での直線的な移動が中止し、第３ギヤ５３と一方向軸受６０とは駆動ギヤ７０に対して空回る。そうすると、按摩具８０は一定の位置に固定されてユーザを按摩する。
【産業上の利用可能性】
【００３２】
本発明は、按摩装置に適用することができる。
【符号の説明】
【００３３】
１０：按摩装置
１１：ベースプレート
１２：駆動モータ
１４：ヘリカルギヤ
１５：回転軸
２０：外ケース
２１：外下ケース
２２：外上ケース
２３：装置空間
３０：内ケース
３１：内下ケース
３２：内上ケース
３３：収容空間
４０：駆動モータ
４１：駆動シャフト
５０：ギヤ組
５１：第１ギヤ
５２：第２ギヤ
５３：第３ギヤ
５４：第４ギヤ
６０：一方向軸受
７０：駆動ギヤ
７１：駆動ヘリカル歯部
７２：締結具
８０：按摩具
８１：連接穴
８２：連接端
８３：按摩部
８４：ガイド部
９０：リニア変位ユニット
９１：ねじ軸
９２：連動ギヤ
９３：駆動具
９４：規制具
９５：ブッシュ
２１１：円弧状溝
２２１：円弧状溝
３１１：斜め置き部
４１１：駆動歯部
５１１：連接軸
５３１：第３ギヤシャフト
５４１：第４ギヤシャフト
９１１：螺旋段
９２１：貫通孔
９２２：ヘリカル歯部
９２３：穿孔
９３１：駆動部
【図１】
0005162010.tif 000002
【図２】
0005162010.tif 000003
【図３】
0005162010.tif 000004
【図４】
0005162010.tif 000005
【図５Ａ】
0005162010.tif 000006
【図５Ｂ】
0005162010.tif 000007
【図６】
0005162010.tif 000008
【図７】
0005162010.tif 000009